(57)【要約】【課題】収容チャネル数に影響を与えることなく、各移動局（各チャネル）についての伝搬遅延を正確に検出すること。【解決手段】相関部２０４は、分離部２０３からの単位時間毎の受信信号と、巡回するベーシックコードとを用いて、相関値算出処理を行うことにより、単位時間毎の遅延プロファイルを作成する。記憶部２０５は、相関部２０４からの単位時間毎の遅延プロファイルを記憶する。比較・回線推定部２０６は、記憶部２０５に記憶された単位時間毎の遅延プロファイルを比較することにより、各チャネルの伝搬遅延を検出する。【選択図】図２
2006060866.tif 000002
【特許請求の範囲】
【請求項１】
相互に異なる複数の既知参照符号において基地局装置から指定されたチャネル固有の既知参照符号を単位時間毎に選択する選択手段と、前記選択手段により選択された既知参照符号を前記単位時間毎に挿入した送信信号を送信する送信手段と、を具備することを特徴とする通信端末装置。
【請求項２】
前記複数の既知参照符号は、巡回する基準符号において基準地点をいずれかの方向に順次ずらした各地点から所定の長さを抽出することにより作成されることを特徴とする請求項１に記載の通信端末装置。
【請求項３】
相互に異なる複数の既知参照符号のうちチャネル固有の既知参照符号を単位時間毎に挿入した各チャネルの送信信号が同一周波数帯域に多重された信号を受信する受信手段と、前記受信手段により受信された信号と巡回する基準符号とを用いて前記単位時間毎に相関値を算出することにより、前記単位時間毎の遅延プロファイルを作成する作成手段と、前記作成手段により作成された遅延プロファイルを用いて各チャネルについての遅延を検出する検出手段と、を具備することを特徴とする基地局装置。
【請求項４】
前記検出手段は、所定のチャネルについての遅延がない場合に希望波のパスの大きさが最大となる基準位相を一致させるように、前記作成手段により作成された遅延プロファイルのうち各特定単位時間に対応する遅延プロファイルの位置を調整する調整手段と、位置を調整された前記各遅延プロファイルにおいて一致するパスを前記所定のチャネルのパスとして認識する認識手段と、認識されたパスの位相と前記基準位相との位相差を前記パスの遅延として検出する遅延検出手段と、を具備し、前記特定単位時間は、各チャネルによる既知参照符号の挿入のされ方が固有になされた単位時間であることを特徴とする請求項３に記載の基地局装置。
【請求項５】
前記調整手段は、前記作成手段により作成された遅延プロファイルのうち各特定時間に対応する遅延プロファイルが平均化された遅延プロファイルの位置を調整することを特徴とする請求項４に記載の基地局装置。
【請求項６】
前記複数の既知参照符号は、前記巡回する基準符号において基準地点をいずれかの方向に順次ずらした各地点から所定の長さを抽出することにより作成されることを特徴とする請求項３から請求項５のいずれかに記載の基地局装置。
【請求項７】
前記検出手段による検出結果に基づいて、各チャネルに対して送信タイミングを指示するためのタイムアライメント制御信号を生成する生成手段を具備することを特徴とする請求項３から請求項６のいずれかに記載の基地局装置。
【請求項８】
請求項３から請求項７に記載の基地局装置と無線通信を行うことを特徴とする通信端末装置。
【請求項９】
相互に異なる複数の既知参照符号において基地局装置から指定されたチャネル固有の既知参照符号を単位時間毎に選択する選択工程と、前記選択工程において選択された既知参照符号を前記単位時間毎に挿入した送信信号を送信する送信工程と、を具備することを特徴とする通信方法。
【請求項１０】
相互に異なる複数の既知参照符号のうちチャネル固有の既知参照符号を単位時間毎に挿入した各チャネルの送信信号が同一周波数帯域に多重された信号を受信する受信工程と、前記受信工程において受信された信号と巡回する基準符号とを用いて前記単位時間毎に相関値を算出することにより、前記単位時間毎の遅延プロファイルを作成する作成工程と、前記作成工程において作成された遅延プロファイルを用いて各チャネルについての遅延を検出する検出工程と、を具備することを特徴とする通信方法。
【発明の詳細な説明】
【技術分野】
【０００１】
本発明は、スペクトル拡散通信方式の通信装置に関し、特に、遅延プロファイル作成用の既知信号を付加した信号を用いて無線通信を行う通信装置に関する。
【背景技術】
【０００２】
従来、遅延プロファイル作成用の既知信号を付加した信号を用いて無線通信を行う通信装置として、次に示すものがある。以下、スペクトル拡散通信方式として、ＣＤＭＡ（Ｃｏｄｅ  Ｄｉｖｉｓｉｏｎ  Ｍｕｌｔｉｐｌｅ  Ａｃｃｅｓｓ）方式を用いた場合を例にとり説明する。
【０００３】
ＣＤＭＡ方式の通信における基地局は、複数チャネルの信号が同一周波数帯域に同一時間に多重された信号を伝送路を介して受信する。この基地局は、各チャネルに割り当てられた拡散符号を用いて逆拡散処理を行うことにより、受信信号から各チャネル（各移動局）より送信された信号を取り出すことができる。
【０００４】
ところが、各チャネルの信号を送信する各移動局と上記基地局との距離が大きい場合には、各チャネルの信号が上記基地局に到達するまでに遅延（以下「伝搬遅延」という。）が生ずることになり、さらに、各移動局と上記基地局との距離がそれぞれ異なる場合には、各チャネル毎の伝搬遅延にもばらつきが生ずることになる。
【０００５】
このため、上記基地局においては、各チャネル毎に伝搬遅延を検出し、検出した伝搬遅延を考慮したタイミングにより、逆拡散処理を行う必要がある。そこで、従来、各移動局においては、既知のベーシックコードを用いて作成されたミッドアンブル部を付加した信号を送信し、基地局においては、各移動局により送信された信号が多重された受信信号と、上記既知のベーシックコードとを用いて相関値算出処理を行うことにより、各チャネル（各移動局）毎の伝搬遅延を検出する。以下、従来のＣＤＭＡ通信システムにおけるミッドアンブル部を利用した伝播遅延の検出方法について説明する。
【０００６】
まず、各移動局（各チャネル）により送信される信号について、図１５および図１６を参照して説明する。図１５は、従来のＣＤＭＡ通信システムにおけるミッドアンブルパターンの作成手順を示す模式図である。図１６は、従来のＣＤＭＡ通信システムにおける各移動局の送信タイミングを示す模式図である。なお、ここでは、基地局装置と無線通信を行う移動局が８つであるものとする。
【０００７】
図１５に示すように、各チャネルに用いられるミッドアンブル部のパターン（以下「ミッドアンブルパターン」という。）は、４５６（＝８Ｗ）チップ周期で巡回するベーシックコードを用いて、次に示す手順に従って作成される。このベーシックコードは、基地局にとって既知のものであり、相互に異なるＷ（＝５７）チップ長のコードを有するＡ〜Ｈの８つのブロックを含んでいる。
【０００８】
まず、第１ステップとして、上記ベーシックコードにおいて基準ブロックを設定する。ここでは、基準ブロックを「Ａ」とする。
【０００９】
第２ステップとして、上記基準ブロックを各チャネル毎に｛Ｗ×（ｎ−１）｝だけ図中左方向にずらす。ただし、Ｗ＝５７チップであり、ｎはチャネル数である。ずらす位相としては、チャネル１、チャネル２、チャネル３およびチャネル８の場合には、それぞれ、０、Ｗ、２Ｗおよび７Ｗとなる。これにより、各チャネルの基準ブロックは、チャネル１、チャネル２、チャネル３およびチャネル８の場合には、それぞれ、「Ａ」、「Ｂ」、「Ｃ」および「Ｈ」となる。
【００１０】
第３ステップとして、各チャネル毎に、上記ベーシックコードにおいて、第２ステップで位相をずらした基準ブロックの先端部から５１３チップを抽出する。これにより、全体として５１３チップ長のミッドアンブルパターンが各チャネル毎に作成される。さらに、５１３チップ長の各ミッドアンブルパターンにおいて、先端ブロックの先端１チップまたは末端１チップを除去する。これにより、全体として５１２チップ長のミッドアンブルパターンが各チャネル毎に作成される。図１５において、各チャネル毎に作成された５１２チップ長のミッドアンブルパターンにおいて、先端ブロックは末端ブロックの１チップを除去したものである。例えば、チャネル１の場合には、先端ブロック「Ａ’」は、末端ブロック「Ａ」から１チップ除去したものである。
【００１１】
次いで、図１６に示すように、各移動局は、以上のような手順により作成された各チャネルのミッドアンブルパターンを付加した伝送信号を基地局装置に対して送信する。すなわち、各移動局は、各移動局毎のミッドアンブルパターンがデータ部１とデータ部２との間のミッドアンブル部に付加された伝送信号を、他の移動局と同一のタイミングにより送信する。
【００１２】
一方、基地局においては、各移動局から送信された伝送信号が同一周波数帯域に多重された信号を受信する。基地局における受信信号と上記既知のベーシックコードとを用いた相関値算出処理について、図１７および図１８を参照して説明する。図１７は、従来のＣＤＭＡ通信システムにおける基地局が各チャネル毎の伝送信号を受信する状況を概念的に示す模式図である。図１８は、従来のＣＤＭＡ通信システムにおける基地局での相関値算出処理により得られた遅延プロファイルの一例を示す模式図である。
【００１３】
上述したように、各移動局と基地局とは距離を隔てて位置しているだけでなく、各移動局と基地局との距離はそれぞれ異なるので、図１７に示すように、各移動局により伝送された信号が基地局に到着するまでには伝搬遅延が生じ、さらに、この伝搬遅延には各移動局により伝送された信号毎にばらつきが生じている。すなわち、移動局１、移動局２、移動局３および移動局８のそれぞれから伝送された信号が基地局に到着するまでに生じた遅延時間は、それぞれ伝搬遅延１、伝搬遅延２、伝搬遅延３および伝搬遅延８となっている。基地局が受信する信号は、図１７に示す伝搬遅延が生じた各移動局からの伝送信号が多重されたものとなる。
【００１４】
基地局は、このような受信信号から各移動局の伝送信号を取り出すために、相関値算出処理を行う。以下、基地局における相関値算出処理について説明する。まず、基準時間１７０３から受信された５１２チップの受信信号のうち、末端部１７０２から４５６チップだけ抽出する。ここで、基準時間とは、各移動局により伝送された信号における各ミッドアンブル部の先端部（例えば、チャネル１の場合には、先端部１７０１）が、伝搬遅延がない場合に基地局により受信される時間である。
【００１５】
次に、抽出された４５６チップ長の受信信号と上記既知の巡回するベーシックコードとの相関値を算出する。すなわち、図１８に示す巡回するベーシックコードを基準として、上記４５６チップ長の受信信号の位相を１チップずつずらしながら上記ベーシックコードに掛け合わせ、それぞれの位相における相関値を算出する。
【００１６】
このような相関値算出処理により、図１８に示すような各チャネルの遅延プロファイルが得られる。上記のような相関値算出時に、上記４５６チップ長の受信信号に含まれたいずれかの移動局からのミッドアンブルパターンと、上記既知のベーシックコードとが、一致した時点で、相関値は最大となり、ある一定の大きさを有するパスが現れる。
【００１７】
よって、図１８におけるパス１８０１、パス１８０２、パス１８０３およびパス１８０４のそれぞれの大きさが最大となっている時点というのは、上記４５６チップ長の受信信号に含まれた移動局１、移動局２、移動局３および移動局８からのそれぞれのミッドアンブルパターンが、図１８における巡回するベーシックコードと一致した時点に相当する。
【００１８】
ここで、各移動局の伝搬遅延がない場合においては、各移動局に対応するパスが最大となる時点は既知なものである。したがって、実際に各移動局より伝送された信号が基地局に到達するまでに生じた伝搬遅延は、伝搬遅延がない場合における各移動局に対応するパスの大きさが最大となる時点を参照することにより検出される。例えば、移動局１、移動局２、移動局３および移動局８のそれぞれに対応する伝搬遅延は、それぞれ図１８に示す伝搬遅延１、伝搬遅延２、伝搬遅延３および伝搬遅延８として、チップ単位で検出される。図１８に示す伝搬遅延１、伝搬遅延２、伝搬遅延３および伝搬遅延８は、それぞれ図１７に示した伝搬遅延１、伝搬遅延２、伝搬遅延３および伝搬遅延８が遅延プロファイル上で表現されたものである。
【００１９】
また、各移動局の伝搬遅延と遅延分散との合計がＷチップ長より小さい場合には、遅延プロファイル上においてある一定の大きさを有するパスが現れる区間は、各移動局毎に決まっている。すなわち、上記の場合には、移動局１〜移動局８に対応するパスは、図１８に示した遅延プロファイルにおけるそれぞれ１〜８のＷチップ区間（遅延プロファイル幅）に現れる。
【００２０】
上記のようにして検出された各移動局毎の伝搬遅延を考慮したタイミングで、データ部を用いた逆拡散処理を行うことにより、各移動局毎にデータ部の干渉除去復調を行うことが可能となる。
【００２１】
さらに、基地局は、上記のようにして検出された各移動局毎の伝搬遅延を用いて、タイムアライメント制御を行うことができる。すなわち、基地局は、検出した各移動局毎の伝搬遅延に基づいて各移動局毎に送信タイミングを設定し、設定した送信タイミングを各移動局に報知し、各移動局は、基地局により報知された送信タイミングに従って基地局に対する送信を行う。このようなタイムアライメント制御により、基地局は、各移動局間の受信タイミングのばらつきを制御することができる。
【発明の開示】
【発明が解決しようとする課題】
【００２２】
しかしながら、上記従来のＣＤＭＡ通信システムにおいては、セル半径が大きい場合には、基地局から遠い位置にある移動局から伝送された信号ほど伝搬遅延が大きくなるので、この信号の伝搬遅延と遅延分散との合計がＷチップ長より大きくなることがある。この場合には、上記移動局に対応するパスは、図１８に示した遅延プロファイルにおける期待されるＷチップ区間に現れず、他のＷチップ区間に現れることになる。例えば、移動局１の場合には、移動局１に対応するパスが、図１８に示す１のＷチップ区間でなく、２〜８のＷチップ区間に現れることがある。
【００２３】
さらに、上記の場合において、上記移動局から伝送された信号の希望波だけでなく遅延波が基地局により受信された場合には、上記遅延プロファイルにおける他のＷチップ区間に、上記移動局に対応する希望波のパスだけでなく遅延波のパスが現れることになる。
【００２４】
この結果、得られた遅延プロファイルにおいて、上記移動局の希望波および遅延波のパスが期待されるＷチップ区間に現れないため、検出される上記移動局の伝搬遅延が不正確なものとなる。また、上記遅延プロファイルにおいて、上記移動局の各パスが他の移動局に対応するＷチップ区間に現れるため、上記移動局の各パスが上記他の移動局の希望波および遅延波のパスとして誤って検出される可能性がある。このため、検出される上記移動局以外の移動局の伝搬遅延も不正確なものとなる。
【００２５】
したがって、各移動局の正確な伝搬遅延を検出することができないので、干渉除去復調特性が劣化することになるだけでなく、タイムアライメント制御を行うことが困難となる。
【００２６】
このような問題を解決するために、Ｗを延長することにより遅延プロファイルにおける各移動局のＷチップ区間を大きくする方法がある。ところが、ミッドアンブル区間を（収容チャネル＋１）で除した値が各移動局の遅延プロファイル幅Ｗに相当するため、Ｗを延長した場合には、ミッドアンブル区間長を一定とすると、収容チャネル数が減少することになる。
【００２７】
本発明は、かかる点に鑑みてなされたものであり、収容チャネル数に影響を与えることなく、各移動局（各チャネル）についての伝搬遅延を正確に検出できる通信装置を提供することを目的とする。
【課題を解決するための手段】
【００２８】
本発明の通信端末装置は、相互に異なる複数の既知参照符号において基地局装置から指定されたチャネル固有の既知参照符号を単位時間毎に選択する選択手段と、前記選択手段により選択された既知参照符号を前記単位時間毎に挿入した送信信号を送信する送信手段と、を具備する。
【００２９】
本発明によれば、各通信端末装置は単位時間毎に送信信号に挿入する既知参照信号を選択できるので、上記各通信端末装置と無線通信を行う基地局装置は、上記単位時間に対応した遅延プロファイルを作成することができる。これにより、上記基地局装置は、作成した上記単位時間に対応する遅延プロファイルを比較することにより、各通信端末装置の伝搬遅延を検出することができる。
【００３０】
本発明の通信端末装置は、前記複数の既知参照符号は、巡回する基準符号において基準地点をいずれかの方向に順次ずらした各地点から所定の長さを抽出することにより作成される。
【００３１】
本発明によれば、巡回する基準符号において基準地点をいずれかの方向に順次ずらした各地点から所定の長さを抽出することにより、相互に異なる複数の既知参照符号を確実に作成することができる。
【００３２】
本発明の基地局装置は、相互に異なる複数の既知参照符号のうちチャネル固有の既知参照符号を単位時間毎に挿入した各チャネルの送信信号が同一周波数帯域に多重された信号を受信する受信手段と、前記受信手段により受信された信号と巡回する基準符号とを用いて前記単位時間毎に相関値を算出することにより、前記単位時間毎の遅延プロファイルを作成する作成手段と、前記作成手段により作成された遅延プロファイルを用いて各チャネルについての遅延を検出する検出手段と、を具備する。
【００３３】
本発明によれば、相互に異なる複数の既知参照符号のうちチャネル固有の既知参照符号を単位時間毎に挿入した各チャネルの送信信号が同一周波数帯域に多重された信号と、巡回する既知参照符号とを用いて、単位時間毎に対応する遅延プロファイルを作成することができるので、各チャネルの伝搬遅延を検出することができる。
【００３４】
本発明の基地局装置は、前記検出手段は、所定のチャネルについての遅延がない場合に希望波のパスの大きさが最大となる基準位相を一致させるように、前記作成手段により作成された遅延プロファイルのうち各特定単位時間に対応する遅延プロファイルの位置を調整する調整手段と、位置を調整された前記各遅延プロファイルにおいて一致するパスを前記所定のチャネルのパスとして認識する認識手段と、認識されたパスの位相と前記基準位相との位相差を前記パスの遅延として検出する遅延検出手段と、を具備し、前記特定単位時間は、各チャネルによる既知参照符号の挿入のされ方が固有になされた単位時間である。
【００３５】
本発明によれば、各特定単位時間に対応する遅延プロファイル、すなわち、各チャネルに対する既知参照符号の割り当て方が相互に異なる単位時間に対応する各遅延プロファイルを比較することにより、各チャネルの伝搬遅延を検出することができる。
【００３６】
本発明の基地局装置は、前記調整手段は、前記作成手段により作成された遅延プロファイルのうち各特定時間に対応する遅延プロファイルが平均化された遅延プロファイルの位置を調整する。
【００３７】
本発明によれば、各特定単位時間に対応する遅延プロファイルが平均化された遅延プロファイルを比較することにより、相互に異なるチャネルのパスが同一チャネルのパスとして検出されることを防止することができるので、各チャネルの伝搬遅延を正確に検出することができる。
【００３８】
本発明の基地局装置は、前記複数の既知参照符号は、前記巡回する基準符号において基準地点をいずれかの方向に順次ずらした各地点から所定の長さを抽出することにより作成される。
【００３９】
本発明によれば、巡回する基準符号において基準地点をいずれかの方向に順次ずらした各地点から所定の長さを抽出することにより、相互に異なる複数の既知参照符号を確実に作成することができる。
【００４０】
本発明の基地局装置は、前記検出手段による検出結果に基づいて、各チャネルに対して送信タイミングを指示するためのタイムアライメント制御信号を生成する生成手段を具備する。
【００４１】
本発明によれば、各チャネルの伝搬遅延を検出することができるので、各チャネルに対して送信タイミングを指示することができる。
【００４２】
本発明の通信端末装置は、上記いずれかの基地局装置と無線通信を行う。
【００４３】
本発明によれば、収容チャネル数に影響を与えることなく、各チャネルの伝搬遅延を正確に検出できる基地局装置と無線通信を行うことにより、良好な無線通信を実行することができる。
【００４４】
本発明の通信方法は、相互に異なる複数の既知参照符号において基地局装置から指定されたチャネル固有の既知参照符号を単位時間毎に選択する選択工程と、前記選択工程において選択された既知参照符号を前記単位時間毎に挿入した送信信号を送信する送信工程と、を具備する。
【００４５】
本発明によれば、各通信端末装置は単位時間毎に送信信号に挿入する既知参照信号を選択できるので、上記各通信端末装置と無線通信を行う基地局装置は、上記単位時間に対応した遅延プロファイルを作成することができる。これにより、上記基地局装置は、作成した上記単位時間に対応する遅延プロファイルを比較することにより、各通信端末装置の伝搬遅延を検出することができる。
【００４６】
本発明の通信方法は、相互に異なる複数の既知参照符号のうちチャネル固有の既知参照符号を単位時間毎に挿入した各チャネルの送信信号が同一周波数帯域に多重された信号を受信する受信工程と、前記受信工程において受信された信号と巡回する基準符号とを用いて前記単位時間毎に相関値を算出することにより、前記単位時間毎の遅延プロファイルを作成する作成工程と、前記作成工程において作成された遅延プロファイルを用いて各チャネルについての遅延を検出する検出工程と、を具備する。
【００４７】
本発明によれば、相互に異なる複数の既知参照符号のうちチャネル固有の既知参照符号を単位時間毎に挿入した各チャネルの送信信号が同一周波数帯域に多重された信号と、巡回する既知参照符号とを用いて、単位時間毎に対応する遅延プロファイルを作成することができるので、各チャネルの伝搬遅延を検出することができる。
【発明の効果】
【００４８】
本発明によれば、各チャネルにおいて、単位時間毎の送信信号に対して、相互に異なる複数の既知参照符号の中から選択したチャネル固有の既知参照符号を挿入するようにし、さらに、上記複数の既知参照符号のうちチャネル固有の既知参照符号を単位時間毎に挿入した各チャネルの送信信号が同一周波数帯域に多重された信号と、巡回する基準符号とを用いた相関値算出処理により、前記各単位時間に対応する遅延プロファイルを作成し、作成した遅延プロファイルを用いて各チャネルの遅延を検出するので、収容チャネル数に影響を与えることなく、各チャネルについての伝搬遅延を正確に検出できる通信装置を提供することができる。
【発明を実施するための最良の形態】
【００４９】
以下、本発明の実施の形態について、図面を参照して詳細に説明する。
【００５０】
（実施の形態１）
図１は、本発明の実施の形態１にかかる通信装置における送信機の構成を示すブロック図である。図１において、拡散部１０１は、本送信機の送信用チャネルに割り当てられた拡散符号を用いて送信データに対して拡散処理を行う。時多重部１０２は、ミッドアンブルパターンと拡散処理後の送信データとをフレームに多重することにより送信信号を生成する。なお、ミッドアンブルパターンとは、本送信機が送信した信号を受信する通信相手側において、遅延プロファイルを作成するために用いられる既知信号である。時多重部１０２に入力されるミッドアンブルパターンは、各チャネル（各送信機）固有に割り当てられたものであり、所定のパターンに従って変化するものである。このミッドアンブルパターンの詳細については後述する。
【００５１】
フレームフォーマットとしては、図１６に示したように、主に、データ部１、ミッドアンブル部およびデータ部２を含むものが用いられる。ミッドアンブル部は、遅延プロファイル作成用の既知信号が挿入される部分である。なお、本実施の形態においては、遅延プロファイル作成用の既知信号を図１６に示すフレームフォーマットにおけるミッドアンブル部に挿入する場合について説明するが、本発明は、これに限定されず、遅延プロファイル作成用の既知信号をフレームフォーマットにおけるいかなる部分に挿入した場合についても適用可能なものである。
【００５２】
無線部１０３は、時多重部１０２により作成された送信信号に対して周波数変換等の所定の送信処理を行い、上記処理後の送信信号をアンテナ１０４を介して送信する。
【００５３】
図２は、本発明の実施の形態１にかかる通信装置における受信機の構成を示すブロック図である。図２において、受信部２０２は、アンテナ２０１を介して受信した信号（受信信号）に対して周波数変換等の所定の受信処理を行い、上記処理後の受信信号を分離部２０３と記憶部２０７とに送る。なお、この受信信号は、複数の送信機により送信された信号が同一周波数帯域に多重された信号である。また、上記複数の送信機は、それぞれ図１に示した構成を有するものであり、それぞれ異なるチャネルを用いて図２に示す受信機に対して信号を送信する。
【００５４】
記憶部２０７は、上記処理後の受信信号を記憶し、後述する相関部２０８〜相関部２１０に出力する。分離部２０３は、上記処理後の受信信号の中から、基準時間から受信された５１２チップ分の信号を分離する。
【００５５】
相関部２０４は、分離された５１２チップ分の受信信号と各チャネル毎に割り当てられた巡回するベーシックコードとを用いた相関値算出処理を行った後、算出された相関値を用いて遅延プロファイルを作成する。さらに、相関部２０４は、作成した遅延プロファイルに関する情報を記憶部２０５に送る。なお、相関部２０４が記憶部２０５に送る遅延プロファイルに関する情報とは、例えば、相関値算出処理により得られた相関値（Ｉ成分およびＱ成分）や各パスの大きさ（電力値）等である。記憶部２０５は、相関部２０４からの遅延プロファイルに関する情報を記憶する。
【００５６】
比較・回線推定部２０６は、記憶部２０５に記憶された遅延プロファイルに関する情報を用いて、各チャネルについて回線推定を行う。すなわち、比較・回線推定部２０６は、上記遅延プロファイルに関する情報を用いて、各チャネルについてのパスおよびこのパスの遅延伝搬を検出する。また、比較・回線推定部２０６は、回線推定結果すなわち伝搬遅延の検出結果を用いて、タイムアライメント制御信号を生成する。このタイムアライメント制御信号については後述する。
【００５７】
相関部２０８〜相関部２１０は、比較・回線推定部２０５による回線推定結果に基づいて、各チャネルに割り当てられた拡散符号を用いて、記憶部２０７からの受信信号に対する逆拡散処理を行う。同期検波部２１１〜同期検波部２１３は、それぞれ相関部２０８〜相関部２１０による逆拡散処理後の信号に対して同期検波処理を行う。合成部２１４は、同期検波部２１１〜同期検波部２１３による同期検波処理後の信号を合成して復調信号を出力する。
【００５８】
なお、図２においては、一例として、各チャネルについて３つのパスを扱う場合について説明するために、相関部および同期検波部が３系統設けられた構成が示されているが、本発明は、相関部および同期検波部の系統数を適宜変更した場合にも適用可能なものである。
【００５９】
次いで、各チャネルに対するミッドアンブルパターン（既知参照符号）の割り当て方法について説明する。まず、各チャネルに割り当てるためのミッドアンブルパターンの作成方法について、図３を参照して説明する。なお、ここでは、一例として総チャネル数が８であるものとして説明する。
【００６０】
図３は、本発明の実施の形態１にかかる通信装置により用いられるミッドアンブルパターンの作成手順を示す模式図である。図３に示すように、各チャネルに用いられるミッドアンブルパターンは、４５６チップ（＝８Ｗ）チップ周期で巡回するベーシックコード（基準符号）を用いて、次に示す手順に従って作成される。このベーシックコードは、図２に示した受信機にとって既知のものであり、相互に異なるＷ（＝５７）チップ長のコードを有するＡ〜Ｈの８つのブロックを含んでいる。
【００６１】
まず、第１ステップとして、上記ベーシックコードにおいて基準ブロックを設定する。ここでは、基準ブロックを「Ａ」とする。
【００６２】
第２ステップとして、上記基準ブロックを｛Ｗ×（ｍ−１）｝だけ位相（チップ数）を図中左方向にずらす。ただし、Ｗ＝５７チップであり、ｍは総チャネル数である。なお、基準ブロックをずらす方向は、図中右方向であってもよい。
【００６３】
第３ステップとして、上記ベーシックコードにおいて、第２ステップで位相をずらした各基準ブロックの先端部から５１３チップを抽出する。これにより、全体として５１３チップ長のミッドアンブルパターンがｍ個すなわち総チャネル数分だけ作成される。さらに、５１３チップ長の各ミッドアンブルパターンにおいて、先端ブロックの先端１チップまたは末端１チップを除去する。これにより、全体として５１２チップ長のミッドアンブルパターンが総チャネル数分だけ作成される。なお、図３において、５１２チップ長の各ミッドアンブルパターンにおいて、先端ブロックは末端ブロックの１チップを除去したものである。
【００６４】
図３においては、作成された８つのミッドアンブルパターンのうち、第２ステップで位相をそれぞれ０、Ｗ、２Ｗおよび７Ｗだけずらすことにより作成されたミッドアンブルパターンが示されている。
【００６５】
また、以後の説明を簡単にするために、第２ステップで位相を０〜７Ｗだけずらすことにより作成されたミッドアンブルパターンを、それぞれ「位相１のミッドアンブルパターン〜位相８のミッドアンブルパターン」と称する。
【００６６】
次いで、上記のように作成したミッドアンブルパターンの各チャネルへの割り当て方法について、図４および図５を参照して説明する。図４は、本発明の実施の形態１にかかる通信装置における各チャネルに対するミッドアンブルパターンの割り当て方法の第１の例を示す図である。図５は、本発明の実施の形態１にかかる通信装置における図４に示した割り当て方法の適用の仕方の第１の例を示す図である。
【００６７】
図４を参照するに、割り当てパターンとして、例えば割り当てパターン１および割り当てパターン２の２つの割り当てパターンを用意し、各割り当てパターン毎に、各チャネルに割り当てるミッドアンブルパターンを変化させている。すなわち、割り当てパターン１では、チャネル１（送信機１）〜チャネル８（送信機８）に対して、それぞれ、位相８のミッドアンブルパターン〜位相１のミッドアンブルパターンが割り当てられ、また、割り当てパターン２では、チャネル１（送信機１）〜チャネル８（送信機８）に対して、それぞれ、位相１のミッドアンブルパターン〜位相８のミッドアンブルパターンが割り当てられている。
【００６８】
さらに、図５を参照するに、実際に用いる割り当てパターンとして、上述した割り当てパターン１および割り当てパターン２を単位時間毎に交互に変化させて用いる。すなわち、時刻[Ｔ−１]では、割り当てパターン２に従って各チャネルにミッドアンブルパターンを割り当て、時刻[Ｔ＋０]では、割り当てパターン１に従って各チャネルにミッドアンブルパターンを割り当て、以下、単位時間毎に交互に変化させた割り当てパターンに従って、各チャネルにミッドアンブルパターンを割り当てる。以上が、各チャネルに対するミッドアンブルパターンの割り当て方法である。
【００６９】
次いで、上記構成を有する通信装置の動作について説明する。まず、上記構成を有する通信装置における送信機の動作について、図１に加えてさらに図６および図７を参照して説明する。図６は、本発明の実施の形態１にかかる通信装置における送信機の割り当てパターン１適用時の送信タイミングを示す模式図である。図７は、本発明の実施の形態１にかかる通信装置における送信機の割り当てパターン２適用時の送信タイミング適用時の送信タイミングを示す模式図である。
【００７０】
図１を参照するに、送信データは、拡散部１０１において、本送信機の送信用チャネルに割り当てられた拡散符号を用いて拡散処理がなされる。拡散処理後の送信データは、時多重部１０２に送られる。
【００７１】
また、上述したようなミッドアンブルパターンの割り当て方法に従って、本送信機の送信用チャネルに割り当てられたミッドアンブルパターンが、時多重部１０２に送られる。
【００７２】
時多重部１０２において、拡散処理後の送信データおよびミッドアンブルパターンがフレームに多重されることにより、送信信号が生成される。すなわち、拡散処理後の送信データは、図６または図７に示すフレームにおけるデータ部（ここでは、データ部１およびデータ部２）に挿入され、ミッドアンブルパターンが上記フレームにおけるミッドアンブル部に挿入されることにより、送信信号が生成される。
【００７３】
具体的には、割り当てパターン１適用時（例えば図５における時刻[Ｔ＋０]、時刻[Ｔ＋２]および時刻[Ｔ＋４]等）には、ミッドアンブル部に挿入される各チャネルのミッドアンブルパターンは、図６に示すようなものとなり、また、割り当てパターン２適用時（例えば図５における時刻[Ｔ−１]、時刻[Ｔ＋１]および時刻[Ｔ＋３]等）には、ミッドアンブル部に挿入される各チャネルのミッドアンブルパターンは、図７に示すようなものとなる。
【００７４】
時多重部１０２により生成された送信信号は、無線部１０３により、周波数変換等の所定の送信処理がなされた後、アンテナ１０４を介して送信される。
【００７５】
次いで、上記構成を有する通信装置における受信機の動作について、図２を参照して説明する。アンテナ２０１を介して受信した信号は、受信部２０２により、周波数変換等の所定の受信処理がなされる。上記処理後の受信信号は、分離部２０３と記憶部２０７とに送られる。記憶部２０７においては、上記処理後の受信信号が記憶される。
【００７６】
分離部２０３においては、上記処理後の受信信号のうち基準時間から受信された５１２チップの信号が分離され、さらに、分離された５１２チップ長の信号のうち末端部から４５６チップのみが切り取られる。なお、基準時間とは、上述したように、伝搬遅延がない場合に、各送信機（各移動局）により送信された信号における各ミッドアンブル部の先端部が、本受信機により受信される時間に相当する。
【００７７】
相関部２０４においては、分離部２０３から送られた４５６チップ長の信号を用いた相関値算出処理がなされる。すなわち、相関部２０４においては、上記４５６チップ長の受信信号と巡回するベーシックコードとの相関値が算出される。さらに、相関部２０４においては、上述したように算出された相関値を用いて、遅延プロファイルが作成される。なお、作成される遅延プロファイルの詳細については後述する。作成された遅延プロファイルに関する情報は、記憶部２０５に送られる。
【００７８】
記憶部２０５においては、相関部２０４からの遅延プロファイルに関する情報が記憶される。具体的には、相関部２０４からの遅延プロファイルに関する情報が、単位時間毎に記憶される。ここでの単位時間としては、例えば、単位フレームを受信するのに要する時間を用いることができる。これにより、記憶部２０５は、図１に示した送信機が単位時間毎に変化させたミッドアンブルパターンに対応した遅延プロファイルに関する情報を記憶することができる。すなわち、例えば、記憶部２０５は、上記送信機により時刻[Ｔ−１]に送信された送信信号を用いて、相関部２０４が作成した遅延プロファイルに関する情報や、上記送信機により時刻[Ｔ＋０]に送信された送信信号を用いて、相関部２０４が作成した遅延プロファイルに関する情報等を記憶することができる。
【００７９】
さらに、記憶部２０５より比較・回線推定部２０６に対して、単位時間毎の遅延プロファイルに関する情報が送られる。比較・回線推定部２０６においては、単位時間毎の遅延プロファイルに関する情報を用いて、回線推定がなされることにより、各チャネルについてのパスおよびこのパスの伝搬遅延が検出される。なお、具体的な回線推定方法については後述する。回線推定結果は、相関部２０８〜相関部２１０に出力される。
【００８０】
相関部２０８〜相関部２１０においては、比較・回線推定部２０６による回線推定結果に基づいて、記憶部２０７から送られた受信信号に対する逆拡散処理が行われる。すなわち、記憶部２０７から送られた受信信号は、相関部２０８〜相関部２１０において、各チャネルについて、比較・回線推定部２０６により推定されたそれぞれ３つのパスの遅延時間を考慮したタイミングで、受信信号に対する逆拡散処理がなされる。なお、本実施の形態においては、相関部２０８〜相関部２１０の３つの相関部により逆拡散を行う場合を例にとり説明しているが、相関部の数に限定はない。
【００８１】
同期検波部２１１〜同期検波部２１３においては、それぞれ相関部２０８〜相関部２１０により逆拡散処理された信号に対する同期検波処理がなされる。同期検波された信号は、合成部２１４により合成されることにより、復調信号が得られる。
【００８２】
次いで、上記構成を有する通信装置における送信機内の比較・回線推定部による、回線推定方法について説明する。ここではまず、説明を簡単にするために、伝搬遅延と遅延分散との合計がＷチップ長以下であり、かつ、各チャネルからの信号に遅延波が存在しない場合について説明する。
【００８３】
比較・回線推定部２０６においては、記憶部２０５により記憶された単位時間毎の遅延プロファイルに関する情報を用いて、各チャネルについての回線推定がなされる。ここで、まず、割り当てパターン１適用時および割り当てパターン２適用時に作成される遅延プロファイルについて、図８を参照して説明する。なお、割り当てパターン１適用時（割り当てパターン２適用時）とは、各送信機が割り当てパターン１（割り当てパターン２）に従って割り当てられたミッドアンブルパターンを挿入した送信信号を送信し、本受信機が上記各送信機により送信された信号を受信する場合に相当する。
【００８４】
図８（ａ）は、本発明の実施の形態１にかかる通信装置における受信機内の相関部２０４により割り当てパターン１適用時に作成された遅延プロファイルの一例を示す図であり、図８（ｂ）は、本発明の実施の形態１にかかる通信装置における受信機内の相関部２０４により割り当てパターン２適用時に作成された遅延プロファイルの一例を示す図である。
【００８５】
図８（ａ）に示すように、割り当てパターン１適用時に、相関部２０４により作成された遅延プロファイルにおいては、分離部２０３からの４５６チップ長の信号に含まれたいずれかの送信機からのミッドアンブルパターンと、上記既知のベーシックコードとが一致した時点で、相関値は最大となり、ある一定の大きさを有するパスが現れる。
【００８６】
よって、例えば、図８（ａ）において、パス８０１ａ、パス８０２ａ、パス８０３ａおよびパス８０８ａのそれぞれの値が最大となっている時点というのは、上記４５６チップ長の信号に含まれた送信機１、送信機２、送信機３および送信機８からのそれぞれのミッドアンブルパターンが、上記既知のベーシックコードと一致した時点に相当する。
【００８７】
同様に、図８（ｂ）に示すように、割り当てパターン２適用時に、相関部２０４により作成された遅延プロファイルにおいては、分離部２０３からの４５６チップ長の信号に含まれたいずれかの送信機からのミッドアンブルパターンと、上記既知のベーシックコードとが一致した時点で、相関値は最大となり、ある一定の大きさを有するパスが現れる。
【００８８】
よって、例えば、図８（ｂ）において、パス８０１ｂ、パス８０２ｂ、パス８０３ｂおよびパス８０８ｂのそれぞれの値が最大となっている時点というのは、上記４５６チップ長の信号に含まれた送信機１、送信機２、送信機３および送信機８からのそれぞれのミッドアンブルパターンが、上記既知のベーシックコードと一致した時点に相当する。
【００８９】
また、上述したように、各移動局の伝搬遅延と遅延分散との合計がＷ（＝５７）チップ長より小さい場合には、遅延プロファイル上である一定の大きさを有するパスが現れる区間は、各送信機毎に決まっている。すなわち、上記の場合には、送信機１〜送信機８に対応するパスは、図８（ａ）および図８（ｂ）に示した遅延プロファイルにおけるそれぞれ１〜８のＷチップ区間（遅延プロファイル幅）に現れる。
【００９０】
なお、図８（ａ）における各チャネル（各送信機）のＷチップ区間と、図８（ｂ）における各チャネルのＷチップ区間との位置関係が逆になっているのは、各送信機に対するミッドアンブルパターンの割り当て方法が、割り当てパターン１と割り当てパターン２とで相違していること、具体的には、各送信機に対する位相１のミッドアンブルパターン〜位相８のミッドアンブルパターンの割り当て順序が、割り当てパターン１と割り当てパターン２とで相違していることに起因する。
【００９１】
さらに、相関部２０４においては、巡回するベーシックコードを用いて相関値算出処理がなされているので、図８（ａ）および図８（ｂ）に示した遅延プロファイルは、巡回するものであるといえる。
【００９２】
すなわち、図８（ａ）における１のＷチップ区間の直前には、８のＷチップ区間が位置し、この８のＷチップ区間の直前には、７のＷチップ区間が位置し、以後同様に、６、５、４…のＷチップ区間が位置する。また、図８（ａ）における８のＷチップ区間の直後には、１、２、３…のＷチップ区間が位置する。逆に、図８（ｂ）における８のＷチップ区間の直前には、１のＷチップ区間が位置し、この１のＷチップ区間の直前には、２のＷチップ区間が位置し、以後同様に、３、４、５…のＷチップ区間が位置する。また、図８（ｂ）における１のチップ区間の直後には、８、７、６…のＷチップ区間が位置する。
【００９３】
比較・回線推定部２０６においては、上述した２つの遅延プロファイルを用いた回線推定が行われる。ここでは、チャネル１（送信機１）の回線推定を行う場合を例にとり説明する。なお、チャネル１以外のチャネルの回線推定についても、チャネル１と同様の回線推定により行うことができる。
【００９４】
上述した図６および図７におけるチャネル１の伝送信号を参照するに、割り当てパターン１適用時と割り当てパターン２適用時において、遅延プロファイルを作成する周期が、伝搬環境が変化する周期より小さいと仮定すれば、図２に示す受信機は、図６におけるチャネル１のミッドアンブルパターンと図７におけるチャネル１のミッドアンブルパターンとを略同時に受信したとみなすことができる。よって、図８（ａ）に示した遅延プロファイルにおけるチャネル１のパス８０１ａに対応するＩ成分およびＱ成分は、それぞれ図８（ｂ）に示した遅延プロファイルにおけるチャネル１のパス８０１ｂに対応するＩ成分およびＱ成分と略同一となる。すなわち、図８（ａ）に示した遅延プロファイルにおけるチャネル１のパス８０１ａと図８（ｂ）に示した遅延プロファイルにおけるチャネル１のパス８０１ｂとのＩ成分およびＱ成分についての差は、所定の誤差の範囲以下となる。
【００９５】
これにより、図８（ａ）に示した遅延プロファイルにおけるチャネル１のパスの大きさと、図８（ｂ）に示した遅延プロファイルにおけるチャネル１のパスの大きさは、略同一となり、また、図８（ａ）に示した遅延プロファイルから検出されるチャネル１の伝搬遅延と、図８（ｂ）に示した遅延プロファイルから検出されるチャネル１の伝搬遅延は、略同一なものとなる。
【００９６】
すなわち、遅延プロファイルを作成する周期が、伝搬環境が変化する周期より小さい場合には、図８（ａ）および図８（ｂ）に示した各遅延プロファイルにおいて、パス１に対応するＩ成分およびＱ成分は略同一となるので、パス８０１ａの値が最大となる位相とパス８０１ｂの値が最大となる位相とは略同一なものとなり、パス８０１ａの大きさとパス８０１ｂの大きさとは略同一なものとなる。換言すれば、遅延プロファイルを作成する周期が、伝搬環境が変化する周期より小さい場合には、Ｉ成分およびＱ成分のそれぞれにおける差が所定の誤差の範囲を上回るパス同士、すなわち、パスの位相および大きさのそれぞれにおける差が所定の誤差の範囲を上回るパス同士は、同一チャネルのパスではないと判断できる。
【００９７】
そこで、比較・回線推定部２０６においては、まず、上記２つの遅延プロファイルを、チャネル１のＷチップ区間を基準として巡回させる。この結果、図８（ａ）に示した遅延プロファイルは、図９（ａ）に示すように巡回される。図８（ｂ）に示した遅延プロファイルは、図９（ｂ）に示すように巡回される。
【００９８】
次に、チャネル１のＷチップ区間が一致するように、すなわち、チャネル１に遅延がない場合に希望波（主波）のパスの大きさが最大となる位相（基準位相）９０１が一致するように、図９（ａ）および図９（ｂ）に示した巡回後の各遅延プロファイルの位置を調整した上で、各遅延プロファイルを比較する。位置調整後の各遅延プロファイルを図１０に示す。
【００９９】
具体的には、図１０に示した位置調整後の各遅延プロファイルを比較して、一致するパスが存在する場合、すなわち例えば位相および大きさについての誤差が所定の誤差の範囲以下となるパス同士が存在する場合には、そのパスをチャネル１のパスとする。これにより、チャネル１の伝搬遅延が検出される。なお、上記所定の誤差の範囲は、様々な条件に応じて適宜設定されるものである。
【０１００】
ところで、伝搬遅延と遅延分散との合計がＷチップ長より大きい場合には、図８（ａ）および図８（ｂ）に示した遅延プロファイルにおいて、例えばチャネル１のパスは、チャネル１のＷチップ区間ではなく、他のチャネルのＷチップ区間に現れる。このため、従来の方法では、チャネル１のパスを検出することが困難であった。
【０１０１】
しかし、本実施の形態においては、遅延プロファイルを作成する周期が、伝搬環境が変化する周期より小さい場合には、上述したように、割り当てパターン１適用時および割り当てパターン２適用時に作成された各遅延プロファイルでは、各チャネルに対応するＩ成分およびＱ成分は略同一なものとなる。すなわち、各チャネルのパスの大きさおよび位相差は略同一なものとなる。
【０１０２】
さらに、上述したように、各送信機に対する位相１のミッドアンブルパターン〜位相８のミッドアンブルパターンの割り当て順序が、割り当てパターン１と割り当てパターン２とで相違しているので、割り当てパターン１適用時および割り当てパターン２適用時に作成された各遅延プロファイル（例えば図８）から明らかなように、あるチャネルのＷチップ区間に隣接するチャネルのＷチップ区間は、各遅延プロファイルにおいてそれぞれ逆になっている。
【０１０３】
例えば、チャネル３のＷチップ区間に着目すれば、図８（ａ）の遅延プロファイルにおいては、図中右隣にはチャネル４のＷチップ区間が位置し、図中左隣にはチャネル２のＷチップ区間が位置している。逆に、図８（ｂ）の遅延プロファイルにおいては、図中右隣にはチャネル２のＷチップ区間が位置し、図中左隣にはチャネル４のＷチップ区間が位置している。
【０１０４】
このため、各遅延プロファイルにおいて、あるチャネルのパスの大きさおよび位相と、他のチャネルのパスの大きさおよび位相と、が完全に一致することはほとんどないといえる。換言すれば、各遅延プロファイルにおいて、大きさおよび位相が略一致する各パスは、同一チャネルのパスである可能性が高い。
【０１０５】
したがって、伝搬遅延と遅延分散との合計がＷチップ長より大きい場合においても、上述したような方法で各チャネルの回線推定を行うことができる。例えば、図１１に示すように、チャネル１からの信号の遅延伝搬がＷチップ長より大きい場合には、２つの遅延プロファイルにおいて、チャネル１のＷチップ区間にチャネル１のパスが現れない。ここで、上述した要因により、上記各遅延プロファイルにおいて、略一致するパス、すなわち、例えば大きさおよび位相についての差が所定の誤差の範囲以下となるパス同士は、同一チャネルのパスとして認識することができる。図１１において、パス１１０１ａとパス１１０１ｂの大きさおよび位相は略同一であるので、このパス１１０１ａ（パス１１０１ｂ）をチャネル１のパスとして検出する。
【０１０６】
以上、本実施の形態にかかる通信装置における受信機が、各チャネルについての希望波のみを受信する場合について説明したが、上記受信機は、希望波（主波）のみならず遅延波をも受信する場合にも対応可能である。この場合における２つの遅延プロファイルの一例を図１２に示す。
【０１０７】
上述したように、遅延プロファイルを作成する周期が、伝搬環境が変化する周期より小さい場合には、上述したように、割り当てパターン１適用時および割り当てパターン２適用時に作成された各遅延プロファイルでは、各チャネルの遅延波のパスに対応するＩ成分およびＱ成分は略同一なものとなる。すなわち、各チャネルの遅延波のパスの値の大きさおよび位相差も略同一なものとなる。
【０１０８】
したがって、上述した回線推定方法によれば、希望波だけでなく遅延波のパスを各チャネルについて検出することができる。すなわち、図１２に示すチャネル１のＷチップ区間が一致するように位置調整された各遅延プロファイルにおいて、パス１２０１ａとパス１２０１ｂ、パス１２０２ａとパス１２０２ｂ、およびパス１２０３ａとパス１２０３ｂは、その大きさおよび位相差が略同一である。よって、これらのパスは、チャネル１に対応するパスであることが明らかである。
【０１０９】
具体的には、そのパスの大きさより、パス１２０１ａ（パス１２０１ｂ）は、チャネル１の希望波のパスであり、パス１２０２ａ（パス１２０２ｂ）およびパス１２０３ａ（パス１２０３ｂ）は、チャネル１の遅延波であると推定される。パス１２０４ｂは、これと大きさおよび位相が同一であるパスが、割り当てパターン１適用時に作成された遅延プロファイル上に存在しないため、チャネル１以外の遅延波であると推定される。
【０１１０】
なお、ここまでは、遅延プロファイルを作成する周期が、伝搬環境が変化する周期より小さい場合、すなわち、割り当てパターン１適用時と割り当てパターン２適用時の伝搬環境が変化しない場合について説明したが、実際には、遅延プロファイルを作成する周期が、伝搬環境が変化する周期より大きいことが多い。以下、遅延プロファイルを作成する周期が、伝搬環境が変化する周期より大きい場合における比較・回線推定部２０６における回線推定方法について説明する。
【０１１１】
遅延プロファイルを作成する周期が、伝搬環境が変化する周期より大きい場合には、割り当てパターン１適用時および割り当てパターン２適用時に作成された各遅延プロファイルにおいて、あるチャネルのパスに対応するＩ成分とＱ成分とが略同一になる可能性が低く、また、あるチャネルのパスの大きさが略同一になる可能性も低い。
【０１１２】
ところが、遅延プロファイルを作成する周期が、伝搬環境が変化する周期より大きい場合において、あるチャネルの遅延量の時間的な変化は、そのチャネルのパスの大きさやＩ成分およびＱ成分に比べて、遅いものである。そこで、遅延プロファイルを作成する周期が、伝搬環境が変化する周期より大きい場合には、あるチャネルの遅延量に着目すればよい。
【０１１３】
具体的には、遅延プロファイルを作成する周期が、伝搬環境が変化する周期より大きい場合には、比較・回線推定部２０６においては、割り当てパターン１適用時および割り当てパターン２適用時に作成された各遅延プロファイルにおいて、遅延量の差が所定の誤差の範囲を下回り、かつ、大きさが所定のしきい値を上回るパス同士を、同一チャネルのパスであると判断し、遅延量の差が所定の誤差を上回るパス同士を、同一チャネルのパスではないと判断することができる。ここで、遅延量とは、例えば、チャネル１についての回線推定時（図９参照）では、基準位相９０１からの位相のずれとすることができる。
【０１１４】
以上のようにして比較・回線推定部２０６により検出された各チャネルの伝搬遅延（ここでは３つのパスの伝搬遅延）は、図２における相関部２０８〜相関部２１０に送られる。これにより、相関部２０８〜相関部２１０は、それぞれの伝搬遅延を考慮したタイミングで、記憶部２０７に記憶された受信信号に対する逆拡散処理を行うことができる。
【０１１５】
さらに、比較・回線推定部２０６は、上述したような回線推定を行うことにより、各チャネルについての伝搬遅延を検出することができる。これにより、比較・回線推定部２０６は、各送信機に対するタイムアライメント制御を行うためのタイムアライメント制御信号を生成することができる。すなわち、比較・回線推定部２０６は、各チャネル（各送信機）の伝搬遅延を検出することができるので、遅延プロファイルにおけるＷチップ区間にパスが現れるようにするために、どれだけ送信タイミングをずらすのかを、各チャネル毎に設定することができる。これにより、比較・回線推定部２０６は、各チャネルに対して送信タイミングを指示するためのタイムアライメント制御信号を生成することができる。したがって、本受信機は、各送信機に対する送信タイミング制御を行うことができる。
【０１１６】
このように、本実施の形態によれば、巡回するベーシックコードを用いて、相互に異なる複数のミッドアンブルパターンを作成する。さらに、隣接する各単位時間において各送信機（各チャネル）に対して異なるミッドアンブルパターンを割り当てるように、上記複数のミッドアンブルパターンは、単位時間毎に各送信機に割り当てられる。具体的には、隣接する単位時間に受信機により作成される各遅延プロファイルにおいて、あるチャネルのＷチップ区間に隣接するＷチップ区間が、同一チャネルのＷチップ区間とならないという条件がすべてのチャネルについて満足されるように、上記複数のミッドアンブルパターンは、単位時間毎に各送信機に割り当てられる。
【０１１７】
一方、受信機は、単位時間毎に遅延プロファイルを作成し、隣接する単位時間に作成された各遅延プロファイルにおいて、パスのＩ成分・Ｑ成分、パスの大きさおよびパスの遅延量等を比較することにより、伝搬遅延がＷチップ長より大きい場合や遅延波が存在する場合においても、各チャネルの回線推定を正確に行うことができる。
【０１１８】
これにより、収容チャネル数に影響を与えることなく、各チャネルの伝搬遅延を正確に検出できるので、精度の高い復調信号を取り出すことができるとともに、各送信機に対するタイムアライメント制御を行うことができる。
【０１１９】
なお、本実施の形態においては、一例として、ミッドアンブルパターンの作成および作成したミッドアンブルパターンの割り当てを、上述した方法により行う場合について説明したが、本発明は、これに限定されず、以下の条件を満たすものであれば、ミッドアンブル作成時において、巡回ベーシックコードの１周期の長さ、第２ステップにおいて基準ブロックをずらす方向やずらすチップ数、および総チャネル数等を適宜変更した場合にも適用可能であり、また、ミッドアンプルパターン割り当て時において、割り当てパターンおよび割り当ての変化パターンを適宜変更した場合にも適用可能である。
【０１２０】
すなわち、隣接する単位時間に作成される各遅延プロファイルにおいて、各チャネルのＷチップ区間に隣接するＷチップ区間が同一チャネルのＷチップ区間とならないように、ミッドアンブルパターンを作成し、作成したミッドアンブルパターンを各チャネルに各単位時間毎に割り当てる必要がある。
【０１２１】
ここで、ミッドアンブルパターンの割り当て方法を変更した場合の一例について、図１３および図１４を参照して説明する。図１３は、本発明の実施の形態１にかかる通信装置における各チャネルに対するミッドアンブルパターンの割り当て方法の第２の例を示す図である。図１４は、本発明の実施の形態１にかかる通信装置における図１３に示した割り当て方法の適用の仕方の第２の例を示す図である。なお、ミッドアンブルパターンの作成方法については、一例として、上述した方法と同一の方法を適用するものとする。
【０１２２】
図１３を参照するに、割り当てパターンとして、割り当てパターン２〜割り当てパターン５の４つの割り当てパターンを用意し、チャネル１、チャネル３、チャネル５およびチャネル７を除く各チャネルに割り当てるミッドアンブルパターンを、各割り当てパターン毎に変化させている。
【０１２３】
さらに、図１４を参照するに、実際に用いる割り当てパターンとして、上述した割り当てパターン２〜割り当てパターン５を単位時間毎に順次変化させている。
【０１２４】
図１３および図１４に示すような割り当て方法を用いれば、受信機により隣接する単位時間に作成される遅延プロファイルでは、各チャネルのＷチップ区間に隣接するＷチップ区間は、同一チャネルのＷチップ区間とならない。すなわち、隣接する単位時間として、図１４における時刻[Ｔ＋１]と時刻[Ｔ＋２]を例にとれば、時刻[Ｔ＋１]すなわち割り当てパターン３適用時および時刻[Ｔ＋２]すなわち割り当てパターン４適用時のそれぞれに作成される各遅延プロファイルでは、例えばチャネル３に隣接するＷチップ区間は、割り当てパターン３適用時には、チャネル４（左隣り）およびチャネル６（右隣り）のＷチップ区間となるのに対して、割り当てパターン４適用時には、チャネル６（左隣り）およびチャネル８（右隣り）のＷチップ区間となる。
【０１２５】
隣接する単位時間に作成される各遅延プロファイルにおいて、各チャネルに隣接するＷチップ区間が同一チャネルのＷチップ区間とならないことは、全チャネルについて常に満足される。
【０１２６】
なお、図１３および図１４に示したミッドアンブルパターンの割り当て方法は一例であり、割り当てパターンの数を適宜増減させたり、割り当てパターンを適用する順序を適宜変更することは可能である。
【０１２７】
また、本実施の形態で説明した回線推定による結果は、干渉除去復調処理におけるパス制限に用いることが可能なものである。
【０１２８】
（実施の形態２）
本実施の形態では、実施の形態１において、同一の割り当てパターン適用時に作成した遅延プロファイルを平均化し、平均化した各遅延プロファイルを用いて各チャネルの伝搬遅延を検出する場合について説明する。
【０１２９】
実施の形態１では、遅延プロファイルを作成する周期が、伝搬環境が変化する周期より大きい場合には、２つの割り当てパターン適用時に作成した各遅延プロファイルを用いて、各チャネルの伝搬遅延を検出する際には、パスのＩ成分・Ｑ成分およびパスの大きさではなく、パスの遅延量を用いていた。ところが、パスの遅延量だけに基づいて、各チャネルの伝搬遅延を検出する場合には、相互に異なるチャネルのパスの遅延量が偶然一致する可能性がある。
【０１３０】
そこで、本実施の形態においては、同一の割り当てパターン適用時に作成した遅延プロファイルを平均化する。以下、本実施の形態にかかる通信装置について、再度図２を参照して説明する。なお、本実施の形態における実施の形態１と同様の構成については、詳しい説明を省略し、本実施の形態における実施の形態１と相違する点のみについて説明する。ここでは、一例として、先に図４および図５を用いて説明したミッドアンブルパターンの割り当て方法に従って、各送信機に対してミッドアンブルパターンが割り当てられているものとする。
【０１３１】
図２を参照するに、記憶部２０５は、前単位時間において割り当てパターン１および割り当てパターン適用時に作成した各遅延プロファイルに関する情報を記憶する。
【０１３２】
さらに、記憶部２０５は、前単位時間における所定の期間について、記憶した遅延プロファイルに関する情報を、割り当てパターン毎に平均化する。例えば、記憶部２０５は、図５を参照するに、所定の期間を時刻[Ｔ−１]〜時刻[Ｔ＋４]とすると、時刻[Ｔ＋０]、時刻[Ｔ＋２]および時刻[Ｔ＋４]において記憶した遅延プロファイルに関する情報の平均化を行い、また、時刻[Ｔ−１]、時刻[Ｔ＋１]および時刻[Ｔ＋３]において記憶した遅延プロファイルに関する情報の平均化を行う。記憶部２０５は、平均化した遅延プロファイルに関する情報を、割り当てパターン毎に比較・回線推定部２０６に送る。
【０１３３】
比較・回線推定部２０６は、記憶部２０５から送られた遅延プロファイルに関する情報を用いて、各割り当てパターンに対応する遅延プロファイルを比較して、実施の形態１で説明した方法により、各チャネルの伝搬遅延を検出する。
【０１３４】
このように、本実施の形態によれば、同一の割り当てパターン適用時に作成した遅延プロファイルに関する情報を平均化し、平均化した遅延プロファイルに関する情報を用いて各チャネルの伝搬遅延を検出するので、各チャネルの伝搬遅延の検出精度を向上させることができる。特に、遅延プロファイルを作成する周期が、伝搬環境が変化する周期より大きい場合において各チャネルの伝搬遅延を検出する際には、相互に異なるチャネルのパスを同一チャネルのパスとして誤認識する確率を低減することができる。
【０１３５】
なお、本実施の形態においては、各チャネルに対するミッドアンブルパターンの割り当て方法として、割り当てパターンを２つ用いた場合について説明したが、本発明は、これに限定されず、割り当てパターンを３つ以上用いた場合についても適用可能なものである。この場合には、記憶部２０７は、各割り当てパターン適用時に作成された遅延プロファイルに関する情報を、割り当てパターン毎に記憶して、記憶した遅延プロファイルに関する情報を、割り当てパターン毎に平均化する。さらに、比較・回線推定部２０６は、各割り当てパターンに対応する遅延プロファイルを比較して、各チャネルの伝搬遅延を検出する。
【図面の簡単な説明】
【０１３６】
【図１】本発明の実施の形態１にかかる通信装置における送信機の構成を示すブロック図
【図２】上記実施の形態１にかかる通信装置における受信機の構成を示すブロック図
【図３】上記実施の形態１にかかる通信装置により用いられるミッドアンブルパターンの作成手順を示す模式図
【図４】上記実施の形態１にかかる通信装置における各チャネルに対するミッドアンブルパターンの割り当て方法の第１の例を示す図
【図５】上記実施の形態１にかかる通信装置における図４に示した割り当て方法の適用の仕方の第１の例を示す図
【図６】上記実施の形態１にかかる通信装置における送信機の割り当てパターン１適用時の送信タイミングを示す模式図
【図７】上記実施の形態１にかかる通信装置における送信機の割り当てパターン２適用時の送信タイミング適用時の送信タイミングを示す模式図
【図８】（ａ）上記実施の形態１にかかる通信装置における受信機内の相関部２０４により割り当てパターン１適用時に作成された遅延プロファイルの一例を示す図、（ｂ）上記実施の形態１にかかる通信装置における受信機内の相関部２０４により割り当てパターン２適用時に作成された遅延プロファイルの一例を示す図
【図９】（ａ）上記実施の形態１にかかる通信装置における受信機内の相関部２０４により割り当てパターン１適用時に作成された巡回後の遅延プロファイルの一例を示す図、（ｂ）上記実施の形態１にかかる通信装置における受信機内の相関部２０４により割り当てパターン２適用時に作成された巡回後の遅延プロファイルの一例を示す図
【図１０】上記実施の形態１にかかる通信装置における受信機内の相関部２０４により各割り当てパターン適用時に作成された位置調整後の遅延プロファイルの比較の様子を示す図
【図１１】上記実施の形態１にかかる通信装置における受信機内の相関部２０４により各割り当てパターン適用時に作成された位置調整後の遅延プロファイル（伝搬遅延が大きい場合）の比較の様子を示す図
【図１２】上記実施の形態１にかかる通信装置における受信機内の相関部２０４により各割り当てパターン適用時に作成された位置調整後の遅延プロファイル（遅延波が存在する場合）の比較の様子を示す図
【図１３】上記実施の形態１にかかる通信装置における各チャネルに対するミッドアンブルパターンの割り当て方法の第２の例を示す図
【図１４】上記実施の形態１にかかる通信装置における図１３に示した割り当て方法の適用の仕方の第２の例を示す図
【図１５】従来のＣＤＭＡ通信システムにおけるミッドアンブルパターンの作成手順を示す模式図
【図１６】従来のＣＤＭＡ通信システムにおける各移動局の送信タイミングを示す模式図
【図１７】従来のＣＤＭＡ通信システムにおける基地局が各チャネル毎の伝送信号を受信する状況を概念的に示す模式図
【図１８】従来のＣＤＭＡ通信システムにおける基地局での相関値算出処理により得られた遅延プロファイルの一例を示す模式図
【符号の説明】
【０１３７】
１０１  拡散部
１０２  時多重部
１０３  無線部
１０４，２０１  アンテナ
２０２  受信部
２０３  分離部
２０４  相関部
２０５  記憶部
２０６  比較・回線推定部
【図１】
2006060866.tif 000003
【図２】
2006060866.tif 000004
【図３】
2006060866.tif 000005
【図４】
2006060866.tif 000006
【図５】
2006060866.tif 000007
【図６】
2006060866.tif 000008
【図７】
2006060866.tif 000009
【図８】
2006060866.tif 000010
【図９】
2006060866.tif 000011
【図１０】
2006060866.tif 000012
【図１１】
2006060866.tif 000013
【図１２】
2006060866.tif 000014
【図１３】
2006060866.tif 000015
【図１４】
2006060866.tif 000016
【図１５】
2006060866.tif 000017
【図１６】
2006060866.tif 000018
【図１７】
2006060866.tif 000019
【図１８】
2006060866.tif 000020